(57)【特許請求の範囲】
【請求項１】
商品陳列棚における支柱の前面に、前方を向くオプション部材を取り付ける取付構造において、
前記オプション部材を、後方に向かって開口する側面視後向きコ字状とし、その上方の水平杆の後端の一部を、支柱の前面に当接させるとともに、前記水平杆の後端よりやや前部に垂直片を設け、この垂直片と、前記支柱の前面に設けた係止孔に、後端に設けた係止爪を係止した係止部材とを、締付手段により互いに引き寄せ合うように締付可能とし、かつ前記オプション部材における下方の水平杆の後端に設けた係止爪を、前記支柱の前面に設けた係止孔に係止したことを特徴とする商品陳列棚における支柱へのオプション部材の取付構造。
【請求項２】
垂直片の左右両側端に後方を向く１対の側片を設け、両側片の後端を支柱の前面に当接させるとともに、両側片間に係止部材を嵌合した請求項１記載の商品陳列棚における支柱へのオプション部材の取付構造。
【請求項３】
支柱の前面に、複数の係止孔を上下方向に並べて、かつ左右２列として穿設し、係止部材を平面視後向きコ字状として、その両側片の後端に設けた係止爪を、左右の係止孔に係止し、かつ前記係止部材における両側片の前端同士を連結する前片を、締付手段により垂直片に締付けるようにした請求項１または２記載の商品陳列棚における支柱へのオプション部材の取付構造。
【請求項４】
商品陳列棚における支柱の前面に、前方を向くオプション部材を取り付ける取付構造において、
前記オプション部材の後端部に、垂直片と、その左右両側端より後方を向き、かつ後端に係止爪が設けられた両側片とを備える係止部材を固着し、
前記係止爪を、支柱の前面に設けた左右に並ぶ係止孔に係止し、かつ前記垂直片に設けたねじ孔に螺合した締付ねじの後端を支柱の前面に当接させ、締付ねじの後端と係止爪とにより、支柱の前壁を締付けるようにした商品陳列棚における支柱へのオプション部材の取付構造。
【請求項５】
オプション部材が、後方に向かって開口する側面視後向きコ字状をなし、その少なくとも上方の水平杆の後端部を、請求項４記載の構造をもって支柱に取り付けた商品陳列棚における支柱へのオプション部材の取付構造。
【発明の詳細な説明】
【０００１】
【発明の属する技術分野】
本発明は、商品陳列棚における支柱へのオプション部材の取付構造、特に、陳列した商品を前方より照射する上下方向に長い照明灯を収容する枠材を、支柱へ取り付ける取付構造に関する。
【０００２】
【従来の技術】
従来、商品の陳列効果を増すための方策として、上段の棚の下面に下段の棚上の商品を照らす照明装置を取り付けたものや、棚の前端部に照明装置を設けて、この棚の上方と下方を照らすようにしたもの等が知られている。
最近は、さらに照明効果を向上させるために、図７に示すように、商品陳列棚(１)における支柱(２)の前面に列設した左右２列の係止孔(３)を利用して、側面視コ字状の枠材(４)を前方より取り付け、枠材(４)における前部の上下方向を向く縦枠(５)に直管型の蛍光灯のような照明灯を後ろ向きに設けることが提案されている。
【０００３】
【発明が解決しようとする課題】
後者は、棚板支持用のブラケットを取り付けるために設けた支柱(２)の係止孔(３)をそのまま利用して、枠材(４)の後端に設けた係止爪（図示略）を固定するので便利であるが、この係止手段では、枠材(４)の左右方向の揺れが大きくなる傾向がある。
【０００４】
本発明は、上述の問題点に鑑み、１本の支柱の前面の係止孔に取り付けられる前方を向くオプション部材を、簡単な構造で、横ぶれしにくいように取り付けるようにした商品陳列棚における支柱へのオプション部材の取付構造を提供することを目的としている。
【０００５】
【課題を解決するための手段】
本発明によると、上記課題は、次のようにして解決される。
（１）商品陳列棚における支柱の前面に、前方を向くオプション部材を取り付ける取付構造において、前記オプション部材を、後方に向かって開口する側面視後向きコ字状とし、その上方の水平杆の後端の一部を、支柱の前面に当接させるとともに、前記水平杆の後端よりやや前部に垂直片を設け、この垂直片と、前記支柱の前面に設けた係止孔に、後端に設けた係止爪を係止した係止部材とを、締付手段により互いに引き寄せ合うように締付可能とし、かつ前記オプション部材における下方の水平杆の後端に設けた係止爪を、前記支柱の前面に設けた係止孔に係止する。
【０００６】
（２）上記(１)項において、垂直片の左右両側端に後方を向く１対の側片を設け、両側片の後端を支柱の前面に当接させるとともに、両側片間に係止部材を嵌合する。
【０００７】
（３）上記(１)または(２)項において、支柱の前面に、複数の係止孔を上下方向に並べて、かつ左右２列として穿設し、係止部材を平面視後向きコ字状として、その両側片の後端に設けた係止爪を、左右の係止孔に係止し、かつ前記係止部材における両側片の前端同士を連結する前片を、締付手段により垂直片に締付けるようにする。
【０００８】
（４）商品陳列棚における支柱の前面に、前方を向くオプション部材を取り付ける取付構造において、前記オプション部材の後端部に、垂直片と、その左右両側端より後方を向き、かつ後端に係止爪が設けられた両側片とを備える係止部材を固着し、前記係止爪を、支柱の前面に設けた左右に並ぶ係止孔に係止し、かつ前記垂直片に設けたねじ孔に螺合した締付ねじの後端を支柱の前面に当接させ、締付ねじの後端と係止爪とにより、支柱の前壁を締付けるようにする。
【０００９】
（５）オプション部材が、後方に向かって開口する側面視後向きコ字状をなし、その少なくとも上方の水平杆の後端部を、上記(４)項の構造をもって支柱に取り付ける。
【００１０】
【発明の実施の形態】
図１〜図４は、本発明の第１の実施形態を示す。
図１に示すように、オプション部材である照明灯支持用枠材(４)は、後方に向かって開口する側面視後向きコ字状のもので、前部の上下方向を向く縦枠(５)は、例えば鋼板を水平断面Ｕ字状に折曲して、後面が開放するカバー状に形成されており、その中に蛍光灯のような照明灯(６)が、後方すなわち商品陳列棚側を照らすように収容されている。
【００１１】
縦枠(５)の上端部からは、上部の水平杆(７)が支柱(２)に向かって後方に延びており、下端部からは、下部の水平杆(８)が同様に支柱(２)に向かって後方に延びている。
【００１２】
上部の水平杆(７)は、例えば鋼板を折り曲げて、比較的上下方向の幅を薄くスリムな形状に仕上げたもので、その後端に、後述する係止部材(12)等を備えている。
【００１３】
これに対し、下部の水平杆(８)は、同じく鋼板を折り曲げて形成したものであるが、内部に蛍光灯用の安定器(９)を収容するので、比較的上下方向の幅が厚い。このため、その後端には、上下方向に２個ずつの係止爪(10)を左右２列設としてけることができ、比較的安定して支柱(２)の係止孔(３)に取り付けることができる。
【００１４】
上部の水平杆(７)の後端部下面には、垂下部材(11)が設けられている。この垂下部材(11)と、その後方に分離して示してある係止部材(12)と、前方に示してある締付手段であるボルト(13)と、前述の支柱(２)の前面に形成された左右２列として上下方向に並ぶ多数の係止孔(３)とにより、本発明の取付構造の主要部が構成されている。
【００１５】
図２に示すように、垂下部材(11)は、例えば鋼板を折り曲げて平面視コ字状に形成したもので、水平杆(７)の後端部の下面に、コ字の開放部を後方に向けて例えば溶接により固着されている。垂下部材(11)の前面である垂直片(11a)の中央には、丸孔(14)が穿設されている。垂直片(11a)の左右の両側端より後方に向かって直角に折曲形成された両側片(11b)(11b)の後端は、水平杆(７)の後端面と同一面をなして、支柱(２)の前面に当接されている。
【００１６】
係止部材(12)は、例えば鋼板を折り曲げて平面視コ字状に形成したもので、その左右の側片(12a)(12a)間の幅は、垂下部材(11)の内部に収容されるような幅とされている。両側片(12a)(12a)の後端には、下向きの係止爪(15)(15)が形成されている。また、係止部材(12)における両側片(12a)(12a)の前端同士を連結する前片(12b)の中央には、ねじ孔(16)が穿設されている。
【００１７】
ボルト(13)は、垂下部(11)の丸孔(14)を貫通し、取付金具(12)のねじ孔(16)に螺合されている。
【００１８】
図３及び図４に示すように、係止部材(12)の係止爪(15)を支柱(２)の前面の係止孔(３)に係止し、この係止部材(12)の前部を、垂下部材(11)内に収容し、垂下部材(11)の垂直片(11a)に穿設した丸孔(14)にボルト(13)を挿通し、係止部材(12)の前片(12b)のねじ孔(16)に螺合させる。
【００１９】
このボルト(13)を締め込むことにより、係止部材(12)は次第に前方に引き寄せられ、係止部材(12)の後端の係止爪(15)の前縁が、支柱(２)の裏面に圧接させられる。この圧接の反力が、垂下部材(11)の両側片(11b)(11b)の後端、及び水平杆(７)の後端を、支柱(２)の前面に圧接させることとなる。
このようにして、図３に示すように、係止部材(12)が左右方向２位置において、垂下部材(11)が係止部材(12)よりも開いた左右方向２位置において、さらには水平杆(７)の後端が全周縁において、支柱(２)の前面と圧接するので、水平杆(７)の左右方向への振れは有効に阻止される。また、図４に示すように、圧接部の上下方向長さは、水平杆(７)とその下に連続する垂下部材(11)との合計の長さとなるので、振れ止めの効果はさらに大きいものとなる。
【００２０】
図５及び図６に示す本発明の第２の実施形態においては、係止部材(12)が直接に水平杆(７)の後端部下面に溶接されて、垂下部材をも構成している。
この係止部材(12)の係止爪(15)を、支柱(２)の係止孔(３)に係止し、ボルト(13)を、係止部材(12)の前片(12b)に穿設したねじ孔(16)に螺合し、その後端を支柱(２)の前面に圧接させると、係止部材(12)の後端の係止爪(15)の前縁が、支柱(２)の裏面に圧接される。この圧接の反力が、水平杆(７)の後端を支柱(２)の前面に圧接させることとなる。
【００２１】
なお、垂下部材(11)及び図５における係止部材(12)等と同様の構造のものを、水平杆(７)の後端部上面に固着して実施することもできる。
【００２２】
【発明の効果】
請求項１記載の発明によれば、照明灯支持用の枠材等のオプション部材を、簡単な構造で横振れしにくいように、強固にかつコンパクトに支柱の前面に取り付けることができる。
【００２３】
請求項２記載の発明によれば、垂直片の両側方の側片の後端を支柱の前面両側部に当接し、その間で、支柱の係止孔に係止爪を係止させた係止部を、締付手段により前方に引き寄せるので、オプション部材の左右方向への横振れを確実に防止することができる。
【００２４】
請求項３記載の発明によれば、係止部材の左右の係止爪を、支柱の左右に設けた係止孔に係止させて、係止部材を垂直片に締め付けるので、左右のバランスがよく、横振れに対して強くなる。
【００２５】
請求項４記載の発明によれば、部品点数が少なくなり、構造が簡素化する。
【００２６】
請求項５記載の発明によれば、側面視コ字状をなすオプション部材における上方の水平杆の支持に上記の構成を採用することにより、上方の水平杆を薄型化することができ、もってデザインの向上を図ることができる。
【図面の簡単な説明】
【図１】  本発明の第１の実施形態を備える商品陳列棚の一部の分解斜視図である。
【図２】  同じく、要部を後方より見た拡大分解斜視図である。
【図３】  同じく、取付け状態の要部の横断平面図である。
【図４】  同じく、縦断側面図である。
【図５】  本発明の第２の実施形態における水平杆の後端部とボルトとを分解して示す後方斜視図である。
【図６】  同じく、取付状態の要部の縦断側面図である。
【図７】  本発明を適用使用とするオプション部材が装着された商品陳列棚の一例を示す斜視図である。
【符号の説明】
(１)商品陳列棚
(２)支柱
(３)係止孔
(４)枠材（オプション部材）
(５)縦枠
(６)照明灯
(７)(８)水平杆
(９)安定器
(10)係止爪
(11)垂下部材
(11a)垂直片
(11b)側片
(12)係止部材
(12a)側片
(12b)前片
(13)ボルト（締付手段）
(14)丸孔
(15)係止爪
(16)ねじ孔
【図１】
0004037667.tif 000002
【図２】
0004037667.tif 000003
【図３】
0004037667.tif 000004
【図４】
0004037667.tif 000005
【図５】
0004037667.tif 000006
【図６】
0004037667.tif 000007
【図７】
0004037667.tif 000008